(57)【要約】【課題】カット後の用紙後端が暴れるのを防止し、画像乱れやシワの発生を防止する。【解決手段】上用紙搬送ローラ対２３は、励磁電流値に応じてコイルで発生した磁力により磁性粉体の凝集度合を変化させることで連続的に伝達トルクを可変してブレーキをかけるパウダーブレーキ機構を備えている。オートカッタ２２は、画像形成部３０にて印字動作中に所定のタイミングで被記録媒体（長尺紙）１６ａを切断する。制御部は、被記録媒体（長尺紙）１６ａが切断されると、パウダーブレーキ機構の励磁電流を可変して上用紙搬送ローラ対２３に付与される負荷トルクを大きくし、上用紙搬送ローラ対２３によって挟持された被記録媒体（長尺紙）１６ａに対して通常より大きな張力を与える。【選択図】図１
2017061050.tif 000002
【特許請求の範囲】
【請求項１】
画像形成部に被記録媒体を供給する被記録媒体供給装置であって、
前記被記録媒体が搬送される搬送経路の所定の位置で前記被記録媒体を切断する切断手段と、
前記搬送経路における前記所定の位置の下流側において前記被記録媒体に負荷張力を付与する負荷付与手段と、
前記切断のタイミングに対応させて前記負荷張力を調整する調整手段と、
を備えることを特徴とする被記録媒体供給装置。
【請求項２】
前記調整手段は、
前記切断のタイミングに対応して前記負荷張力が大きくなるように調整する、
ことを特徴とする請求項１に記載の被記録媒体供給装置。
【請求項３】
被記録媒体を切断する被記録媒体切断制御方法であって、
切断手段によって前記被記録媒体が搬送される搬送経路の所定の位置で前記被記録媒体を切断するステップと、
前記搬送経路における前記所定の位置の下流側に付与される前記被記録媒体の張力を、前記切断のタイミングに対応して調整するステップと、
を含むことを特徴とする被記録媒体切断制御方法。
【請求項４】
画像形成部に被記録媒体を供給する被記録媒体供給装置であって、
前記被記録媒体が搬送される搬送経路の所定の位置で前記被記録媒体を切断する切断手段と、
前記搬送経路における前記所定の位置の下流側で前記被記録媒体を挟持し、搬送される前記被記録媒体に従動回転する被記録媒体挟持手段と、
前記被記録媒体挟持手段の従動回転に対して負荷トルクを付与する負荷付与手段と、
前記切断のタイミングに対応して、前記負荷トルクを調整する調整手段と、
を備えることを特徴とする被記録媒体供給装置。
【請求項５】
前記調整手段は、
前記切断のタイミングに対応して前記負荷トルクが大きくなるように調整する、
ことを特徴とする請求項４に記載の被記録媒体供給装置。
【請求項６】
前記負荷付与手段は、前記被記録媒体挟持手段のうち、少なくとも１つのローラに設けられ、前記少なくとも１つのローラの従動回転に制動力を付与する制動手段である、
ことを特徴とする請求項４又は５に記載の被記録媒体供給装置。
【請求項７】
前記制動手段は、励磁電流値に応じて連続的に伝達トルクを可変して前記少なくとも１つのローラの従動回転を制動するパウダーブレーキである、
ことを特徴とする請求項６に記載の被記録媒体供給装置。
【請求項８】
前記調整手段は、
前記被記録媒体の種類又はサイズに応じて、前記負荷トルクを調整する、
ことを特徴とする請求項４乃至７のいずれかに記載の被記録媒体供給装置。
【請求項９】
被記録媒体が搬送される搬送経路の所定の位置で被記録媒体を切断する切断手段と、
前記搬送経路における前記所定の位置の下流側で前記被記録媒体を挟持し、搬送される前記被記録媒体に従動回転する被記録媒体挟持手段と、
前記被記録媒体挟持手段の従動回転に対して負荷トルクを付与する負荷付与手段と、
前記切断のタイミングに対応して、前記負荷トルクを調整する調整手段と、
を備えることを特徴とする画像形成装置。
【請求項１０】
画像形成部に供給される被記録媒体を切断する被記録媒体切断制御方法であって、
前記被記録媒体が搬送される搬送経路の所定の位置で前記被記録媒体を切断するステップと、
前記搬送経路における前記所定の位置の下流側で前記被記録媒体を挟持し、搬送される前記被記録媒体に従動回転する被記録媒体挟持手段の従動回転に対して付与する負荷トルクを、前記切断のタイミングに対応して調整するステップと、
を含むことを特徴とする被記録媒体切断制御方法。
【発明の詳細な説明】
【技術分野】
【０００１】
本発明は、被記録媒体供給装置、画像形成装置、及び被記録媒体切断制御方法に関する。
【背景技術】
【０００２】
従来、電子写真方式の画像形成装置では、現像装置の感光体ドラムを一様に帯電させて初期化し、この感光体ドラムに光書込みによって潜像を形成し、この潜像をトナー像化（現像）して、そのトナー像を被記録媒体に二次転写して定着器で定着させる。
【０００３】
上記画像形成装置において、被記録媒体として長尺紙を用いる場合、印刷ジョブの終了に合せて、任意の位置で長尺紙をカットする必要がある。従来の画像形成装置では、カット位置より下流での二次転写部での動作に影響を与えないように、搬送ローラ対（被記録媒体扶持部）間で長尺紙を撓ませてカットしている。
【０００４】
例えば、給紙ローラを回転する駆動手段と給紙ローラ間に、長尺紙を搬送方向のみの回転力を伝達するクラッチ手段を設け、カット時に、クラッチ手段によって給紙ローラが惰性回転しながら停止するまでの時間と、長尺紙が減速して停止するまでの時間とを制御する技術が提案されている（例えば特許文献１参照）。
【先行技術文献】
【特許文献】
【０００５】
【特許文献１】特開昭６２−８３９７９号公報
【発明の概要】
【発明が解決しようとする課題】
【０００６】
しかしながら、上述した特許文献１では、長尺紙をカットした後、カッターの下流側に設けられている下流側搬送ローラに挟持されている長尺紙に対する張力を制御していない。このため、カット後の用紙後端はテンションを失った状態で搬送され、その姿勢が乱れるので、カット後の用紙後端の暴れが、画像転写部（二次転写部）に振動として伝わり、画像乱れやシワが発生する問題があった。
【０００７】
そこで本発明は、カット後の用紙後端が暴れるのを防止し、画像乱れやシワの発生を防止することを目的とする。
【課題を解決するための手段】
【０００８】
この発明に係る被記録媒体供給装置は、画像形成部に被記録媒体を供給する被記録媒体供給装置であって、前記被記録媒体が搬送される搬送経路の所定の位置で前記被記録媒体を切断する切断手段と、前記搬送経路における前記所定の位置の下流側において前記被記録媒体に負荷張力を付与する負荷付与手段と、前記切断のタイミングに対応させて前記負荷張力を調整する調整手段と、を備えることを特徴とする。
【０００９】
この発明に係る被記録媒体供給装置は、画像形成部に被記録媒体を供給する被記録媒体供給装置であって、前記被記録媒体が搬送される搬送経路の所定の位置で前記被記録媒体を切断する切断手段と、前記搬送経路における前記所定の位置の下流側で前記被記録媒体を挟持し、搬送される前記被記録媒体に従動回転する被記録媒体挟持手段と、前記被記録媒体挟持手段の従動回転に対して負荷トルクを付与する負荷付与手段と、前記切断のタイミングに対応して、前記負荷トルクを調整する調整手段と、を備えることを特徴とする。
【００１０】
この発明に係る被記録媒体切断制御方法は、被記録媒体を切断する被記録媒体切断制御方法であって、切断手段によって前記被記録媒体が搬送される搬送経路の所定の位置で前記被記録媒体を切断するステップと、前記搬送経路における前記所定の位置の下流側に付与される前記被記録媒体の張力を、前記切断のタイミングに対応して調整するステップと、を含むことを特徴とする。
【００１１】
この発明に係る被記録媒体切断制御方法は、画像形成部に供給される被記録媒体を切断する被記録媒体切断制御方法であって、前記被記録媒体が搬送される搬送経路の所定の位置で前記被記録媒体を切断するステップと、前記搬送経路における前記所定の位置の下流側で前記被記録媒体を挟持し、搬送される前記被記録媒体に従動回転する被記録媒体挟持手段の従動回転に対して付与する負荷トルクを、前記切断のタイミングに対応して調整するステップと、を含むことを特徴とする。
【００１２】
この発明に係る画像形成装置は、被記録媒体が搬送される搬送経路の所定の位置で被記録媒体を切断する切断手段と、前記所定の位置の下流側に配設され、前記被記録媒体を挟持し、搬送される前記被記録媒体に従動回転する被記録媒体挟持手段と、前記被記録媒体挟持手段の従動回転に対して負荷トルクを付与する負荷付与手段と、前記切断のタイミングに対応して、前記負荷付与手段によって前記被記録媒体挟持手段に付与される負荷トルクを調整する調整手段と、
を備えることを特徴とする。
【００１３】
この発明に係る画像形成装置は、被記録媒体が搬送される搬送経路の所定の位置で被記録媒体を切断する切断手段と、前記搬送経路における前記所定の位置の下流側で前記被記録媒体を挟持し、搬送される前記被記録媒体に従動回転する被記録媒体挟持手段と、前記被記録媒体挟持手段の従動回転に対して負荷トルクを付与する負荷付与手段と、前記切断のタイミングに対応して、前記負荷トルクを調整する調整手段と、を備えることを特徴とする。
【発明の効果】
【００１４】
この発明によれば、カット後の用紙後端が暴れるのを防止し、画像乱れやシワが発生するのを防止することができる。
【図面の簡単な説明】
【００１５】
【図１】本発明の実施形態による、長尺紙あるいはカット紙をプリントするための画像形成装置１０を示す全体概念図の正面図である。
【図２】本実施形態による画像形成装置１０の長尺紙供給部１５の構成を示す上面図である。
【図３】本実施形態による画像形成装置１０の制御系の一部構成を示すブロック図である。
【図４】本実施形態による画像形成装置１０の動作（カット動作）を説明するためのフローチャートである。
【図５】本実施形態による画像形成装置１０の動作（カット動作）を説明するためのタイムチャートである。
【発明を実施するための形態】
【００１６】
以下、本発明の実施の形態を、図面を参照して説明する。
【００１７】
Ａ．実施形態の構成
図１は、本発明の実施形態による、長尺紙あるいはカット紙をプリントするための画像形成装置１０の全体概念図である。図において、画像形成装置１０は、長尺紙供給部１５、画像形成部３０、及び長尺紙巻取部５０から構成されている。長尺紙供給部１５は、画像形成部３０本体の下部に設置されており、給紙ロール１６が設置されている。用紙ガイドローラ１７は、給紙ロール１６から巻出される被記録媒体（長尺紙）１６ａの搬送方向を変え、上部の画像形成部３０方向へ搬送されるようガイドする。
【００１８】
端部センサ１８は、用紙ガイドローラ１７と後述する用紙ガイドローラ１９の間に配置され、給紙ロール１６から巻出される被記録媒体（長尺紙）１６ａの搬送方向に直角な用紙幅方向の両端部の位置を検出する。図１には、１つの端部センサ１８が示されているが、後述するように、被記録媒体（長尺紙）１６ａの両端部のそれぞれに配置されている。端部センサ１８は、検出した被記録媒体（長尺紙）１６ａの用紙幅方向の両端部の位置から、被記録媒体（長尺紙）１６ａの斜行を検知する。
【００１９】
用紙ガイドローラ１９は、端部センサ１８を通ってきた被記録媒体（長尺紙）１６ａの搬送方向を変え、上部の画像形成部３０方向へ搬送されるようガイドする。下用紙搬送ローラ対２１、及び上用紙搬送ローラ対２３は、給紙ロール１６から繰り出される被記録媒体（長尺紙）１６ａを両側から挟み込んで上部の画像形成部３０方向へ搬送する。また、下用紙搬送ローラ対２１、及び上用紙搬送ローラ対２３は、各々、１対のうちの少なくとも１つのローラにクラッチ機構を備えている。クラッチ機構がＯＮとされることで回転軸の駆動力がローラに伝達され、ＯＦＦとされることで回転軸からの駆動力が遮断されて従動するようになっている。
【００２０】
印刷開始時には、被記録媒体１６ａが画像形成部３０内に搬送され、画像形成部３０内の搬送ローラ（後述する本体進入搬送ローラ４７など）に挟持された時点で、下用紙搬送ローラ対２１、及び上用紙搬送ローラ対２３のクラッチ機構をＯＦＦ（クラッチを切る）とする。下用紙搬送ローラ対２１、及び上用紙搬送ローラ対２３のクラッチ機構がＯＦＦされた以降は、被記録媒体（長尺紙）１６ａは、画像形成部３０内の搬送ローラ（後述する本体進入搬送ローラ４７など）によって搬送される。下用紙搬送ローラ対２１、及び上用紙搬送ローラ対２３は、搬送される被記録媒体（長尺紙）１６ａにより従動することになる。
【００２１】
また、本実施形態において、上用紙搬送ローラ対２３は、上記クラッチ機構に加え、パウダーブレーキ機構を備えている。該パウダーブレーキ機構は、励磁電流値に応じてコイルで発生した磁力により磁性粉体の凝集度合を変化させることで連続的に伝達トルクを可変して上用紙搬送ローラ対２３（の少なくとも一方のローラ）にブレーキをかけるものである。このパウダーブレーキ機構により、上用紙搬送ローラ対２３に加わる負荷トルク（被記録媒体（長尺紙）１６ａに対する張力）を制御する。
【００２２】
オートカッタ２２は、初めて給紙ロール１６を設置して被記録媒体（長尺紙）１６ａを給紙したときや、印刷が終了したときなどに、被記録媒体（長尺紙）１６ａをカットする。用紙通過センサ２４は、画像形成部３０に搬送される被記録媒体（長尺紙）１６ａの先端部又は後端部の通過を検知する。
【００２３】
給紙ロール１６が設置されたアンワインダ２５と用紙ガイドローラ１７は、長尺紙供給部１５の中で別フレーム上に配設されており、スライドベアリング２６ａ、２６ｂにより用紙幅方向に移動可能に構成されている。また、アンワインダ２５の下部には、例えば電磁力で伸縮するアクチュエータ２７が配設されている。該アクチュエータ２７が伸縮することにより、スライドベアリング２６ａ、２６ｂ上のアンワインダ２５を用紙幅方向に移動させることが可能となっている。また、給紙ロール１６の回転軸には、パウダーブレーキ２８が固定されており、給紙ロール１６の回転に所定のブレーキを加えることで、被記録媒体（長尺紙）１６ａの張力（テンション）を制御する。
【００２４】
また、長尺紙供給部１５は、給紙ロール１６から巻出される被記録媒体（長尺紙）１６ａを送り出す搬送ローラ対（下用紙搬送ローラ対２１、及び上用紙搬送ローラ対２３）を駆動するための搬送モータ（図示略）を備えている。当該搬送モータは、給紙ロール１６から被記録媒体（長尺紙）１６ａを送り出す際に駆動制御される。本実施形態では、被記録媒体（長尺紙）１６ａをカットする際に、搬送モータ（図示略）を駆動制御し、被記録媒体（長尺紙）１６ａの給紙ロール１６からの送り出し線速度を制御する。
【００２５】
但し、通常の印刷動作中は、給紙ロール１６から巻出される被記録媒体（長尺紙）１６ａは、後述する画像形成部３０内の搬送ローラ（本体進入搬送ローラ４７など）や、巻き取りロール５１に巻き取られることで所定のテンションを保持した状態で搬送され、搬送モータ（図示略）の動力は使用されない。
【００２６】
上述した長尺紙供給部１５では、被記録媒体（長尺紙）１６ａは、アンワインダ２５から用紙ガイドローラ１７の下を通って用紙ガイドローラ１９、下用紙搬送ローラ対２１、オートカッタ２２、上用紙搬送ローラ対２３を経由して画像形成部３０に供給される。
【００２７】
画像形成部３０は、電子写真式で中間転写方式のタンデム型のカラー画像形成装置であり、ドラム・現像装置３１、転写ベルト装置３２、トナーカートリッジ３３、電装部３４、給紙部３５、及び定着装置３６などから構成されている。
【００２８】
転写ベルト装置３２を挟んで上部にトナーカートリッジ３３が配置され、転写ベルト装置３２を挟んだ略直下にドラム・現像装置３１が配置されている。転写ベルト装置３２は、中間転写ベルト３７と、駆動ローラ３８と、従動ローラ３９とを含む。ドラム・現像装置３１は、転写ベルト装置３２の中間転写ベルト３７の下部走行面に接して同図の右から左へ４つの現像装置３１ｋ、３１ｃ、３１ｍ、３１ｙを多段式に並設して構成される。
【００２９】
この現像装置３１ｋ、３１ｃ、３１ｍ、３１ｙには、４つのトナーカートリッジ３３から、同図にＫ、Ｃ、Ｍ、Ｙで示すブラック（Ｋ）、シアン（Ｃ）、マゼンタ（Ｍ）、イエロー（Ｙ）のトナーがそれぞれ供給される。
【００３０】
トナーカートリッジ３３は、中間転写ベルト３７の上部走行面の上方に配置されている４つで構成される。４つのトナーカートリッジ３３には、それぞれブラック（Ｋ）、シアン（Ｃ）、マゼンタ（Ｍ）、イエロー（Ｙ）の補給用トナーが収容されている。トナーカートリッジ３３とドラム・現像装置３１間にはトナー縦搬送経路４０が各々配置され、トナーカートリッジ３３から定量のトナーがドラム・現像装置３１内に搬送される。
【００３１】
現像装置３１は、４つの現像装置３１ｋ、３１ｃ、３１ｍ、３１ｙを多段式に並設して構成されている。各現像装置３１ｋ、３１ｃ、３１ｍ、３１ｙは、画像を現像するトナーの色を除き全て同じ構成である。現像装置３１ｋ、３１ｃ、３１ｍ、３１ｙのうち、上流側（図の左側）の３つの現像装置３１ｃ、３１ｍ及び３１ｙは、それぞれ減法混色の三原色であるシアン（Ｃ）、マゼンタ（Ｍ）、イエロー（Ｙ）の色トナーによるカラー画像を中間転写ベルト３７上に形成し、現像装置３１ｋは、主として文字や画像の暗黒部分等に用いられるブラック（Ｋ）の色トナーによるモノクロ画像を中間転写ベルト３７上に形成する。
【００３２】
転写ベルト装置３２は、画像形成部３０のほぼ中央で図の左右方向に扁平なループ状になって延在する無端状の上述した中間転写ベルト３７と、この中間転写ベルト３７を掛け渡されて中間転写ベルト３７を図の反時計回り方向に循環移動させる駆動ローラ３８と従動ローラ３９を備えている。
【００３３】
転写ベルト装置３２は、更に、駆動ローラ３８の上方で中間転写ベルト３７を掛け渡されている二次転写バックアップローラ４１を備えている。二次転写バックアップローラ４１には、中間転写ベルト３７を介して二次転写ローラ４２が圧接されている。
【００３４】
長尺紙供給部１５から搬送されてきた被記録媒体１６ａは、本体進入搬送ローラ４７によって挟持されて画像形成部３０内に搬送される。なお、被記録媒体１６ａが画像形成部３０内に搬送されると、下用紙搬送ローラ対２１、及び上用紙搬送ローラ対２３の駆動力がＯＦＦとなり（クラッチが切られ）、被記録媒体１６ａは、画像形成部３０内の搬送ローラ（本体進入搬送ローラ４７など）によって搬送される。
【００３５】
被記録媒体１６ａは、二次転写バックアップローラ４１と二次転写ローラ４２との間を搬送される際に、中間転写ベルト３７に圧接される。これによって、被記録媒体１６ａである長尺紙には、中間転写ベルト３７に形成された、シアン（Ｃ）、マゼンタ（Ｍ）、イエロー（Ｙ）の色トナーによるカラー画像とブラック（Ｋ）トナーによるモノクロ画像とが順次転写され、定着装置３６に供給される。
【００３６】
また、給紙部３５は、カット紙を載置した給紙カセットを備えている。給紙カセットのカット紙は、給送ローラ４４を介して、長尺紙同様に、上方の二次転写バックアップローラ４１及び二次転写ローラ４２に搬送される。その後、被記録媒体１６ａであるカット紙には、中間転写ベルト３７に形成された、シアン（Ｃ）、マゼンタ（Ｍ）、イエロー（Ｙ）の色トナーによるカラー画像とブラック（Ｋ）トナーによるモノクロ画像とが順次転写され、定着装置３６に供給される。
【００３７】
定着装置３６は、ベルト式熱定着装置で、長尺紙、又はカット紙からなる被記録媒体１６ａに転写されたトナー像を定着させる。定着装置３６から搬出された長尺紙は、フェイスアップユニット４５を経由して、長尺紙巻取部５０に設置されている巻き取りロール５１に巻き取られる。一方、定着装置３６から搬出されたカット紙は、装置上面に載置する排紙トレー４６に排紙される。
【００３８】
図２は、本実施形態による画像形成装置１０の長尺紙供給部１５の構成を示す上面図である。なお、図１、図２に対応する部分には同一の符号を付けて説明を省略する。端部センサ１８ａ、１８ｂは、用紙ガイドローラ１７と用紙ガイドローラ１９の間に配設されており、被記録媒体（長尺紙）１６ａの用紙幅方向の端部を検出する。端部センサ１８ａ、１８ｂとしては、例えば、反射光／透過光を検出する光学センサや、超音波の透過波を検出する超音波センサなどを用いる。
【００３９】
給紙ロール１６が収容されたアンワインダ２５は、アクチュエータ２７によって用紙幅方向に移動可能になっている。後述する制御部６６は、常に、被記録媒体（長尺紙）１６ａの用紙幅方向の端部が端部センサ１８ａ、１８ｂの検出範囲を通過するように、このアンワインダ２５を用紙幅方向に移動させ、被記録媒体（長尺紙）１６ａが常に所定の位置を搬送されるように制御する。
【００４０】
図３は、本実施形態による画像形成装置１０の制御系（電装部３４）の一部構成を示すブロック図である。なお、図１に対応する部分には同一の符号を付けて説明を省略する。図３において、画像形成装置１０は、搬送モータ駆動部６０、下用紙搬送ローラクラッチ駆動部６１、オートカッタ駆動部６２、上用紙搬送ローラクラッチ駆動部６３、上用紙搬送ローラブレーキ駆動部６４、センサ信号処理部６５、及び制御部６６を備えている。
【００４１】
搬送モータ駆動部６０は、制御部６６の指示に従って、長尺紙供給部１５に設けられた、給紙ロール１６から被記録媒体（長尺紙）１６ａを送り出すための搬送ローラを駆動する。下用紙搬送ローラクラッチ駆動部６１は、制御部６６の指示に従って、下用紙搬送ローラ対２１のクラッチ機構をＯＮ／ＯＦＦする。オートカッタ駆動部６２は、制御部６６の指示に従って、初めて給紙ロール１６を設置して被記録媒体（長尺紙）１６ａを給紙したときや、印刷が終了したときなどに、オートカッタ２２を駆動し、被記録媒体（長尺紙）１６ａをカットする。
【００４２】
上用紙搬送ローラクラッチ駆動部６３は、制御部６６の指示に従って、上用紙搬送ローラ対２３のクラッチ機構をＯＮ／ＯＦＦする。上用紙搬送ローラブレーキ駆動部６４は、制御部６６の指示に従って、上用紙搬送ローラ対２３のパウダーブレーキ機構への励磁電流を制御することで、上用紙搬送ローラ対２３に加わる負荷トルクを調整する。センサ信号処理部６５は、被記録媒体（長尺紙）１６ａの先端部又は後端部の通過を検知する用紙通過センサ２４からの信号をデジタルデータに変換する処理などを行う。
【００４３】
制御部６６は、上述した各部の動作を統括して制御する。特に、本実施形態では、制御部６６は、オートカッタ２２によって被記録媒体（長尺紙）１６ａをカットする際に、所定のタイミングで、長尺紙供給部１５の搬送モータ（図示略）の駆動制御、下用紙搬送ローラ対２１、及び上用紙搬送ローラ対２３のクラッチ機構のＯＮ／ＯＦＦ制御、上用紙搬送ローラ対２３のパウダーブレーキ機構の制御、オートカッタ２２の動作を制御する。
【００４４】
Ｂ．実施形態の動作
次に、本実施形態の動作について説明する。
図４は、本実施形態による画像形成装置１０の動作（カット動作）を説明するためのフローチャートである。また、図５は、本実施形態による画像形成装置１０の動作（カット処理）を説明するためのタイムチャートである。
【００４５】
まず、被記録媒体（長尺紙）１６ａのカット前の各部の状態について説明する。被記録媒体（長尺紙）１６ａのカット前は、図５に示す時刻ｔ０以前であり、印刷中の被記録媒体（長尺紙）１６ａは、本体進入搬送ローラ４７によって搬送されている。長尺紙供給部１５の搬送モータは停止状態である。また、下用紙搬送ローラ対２１のクラッチ機構はオフであり、上用紙搬送ローラ対２３のクラッチ機構はオフである。また、上用紙搬送ローラ対２３のブレーキ機構には、３０ｍＡの励磁電流（０．０５Ｎｍ相当）が流れており、比較的小さな負荷トルクにより、通過する上用紙搬送ローラ対２３より下流側の被記録媒体（長尺紙）１６ａに対して張力を与えている。
【００４６】
次に、被記録媒体（長尺紙）１６ａのカット動作について説明する。制御部６６は、被記録媒体（長尺紙）１６ａのカット動作開始タイミングであるか否かを判断する（ステップＳ１４）。カット動作開始タイミングであるか否かは、画像形成部３０での印刷動作の進捗状況に基づいて判断される。そして、カット動作開始タイミングでない場合には（ステップＳ１４のＮＯ）、上記カット前の状態を維持する。
【００４７】
一方、カット動作開始である場合には（ステップＳ１４のＹＥＳ）、制御部６６は、図５に示す時刻ｔ０にて、搬送モータ駆動部６０により、長尺紙供給部１５の搬送モータを駆動して、被記録媒体（長尺紙）１６ａの搬送速度より速い線速度で搬送ローラを回転させ（ステップＳ１２）、図５に示す時刻ｔ１にて、下用紙搬送ローラクラッチ駆動部６１により、下用紙搬送ローラ対２１のクラッチ機構をオンにする（ステップＳ１４）。これにより、長尺紙供給部１５からの送り出し速度が搬送速度よりも大きくなる。制御部６６は、この状態を所定の時間（図５の時刻ｔ１〜ｔ２）、維持する（ステップＳ１６）。
【００４８】
長尺紙供給部１５からの送り出し速度が搬送速度よりも大きいので、被記録媒体（長尺紙）１６ａは、下用紙搬送ローラ対２１と上用紙搬送ローラ対２３の間でたわむことになる。このように、たわみを形成させるのは、前述したように、カット位置より下流での二次転写部での動作に影響を与えないためである。このとき、従動で回転している上用紙搬送ローラ対２３にて被記録媒体（長尺紙）１６ａがたわみの力で押し込まれないように、上用紙搬送ローラ対２３のブレーキ機構への励磁電流を３０ｍＡ（０．０５Ｎｍ相当）で維持する。つまり、上用紙搬送ローラ対２３のブレーキ機構に所定の負荷トルクをかけることで、上用紙搬送ローラ対２３より下流側の被記録媒体（長尺紙）１６ａに張力を与え続ける。
【００４９】
次に、所定の時間経過後、カット位置がオートカッタ２２に到達すると、制御部６６は、図５に示す時刻ｔ２にて、下用紙搬送ローラ対２１のクラッチ機構をオフにする（ステップＳ１８）。下用紙搬送ローラ対２１のクラッチ機構をオフにすることで、被記録媒体（長尺紙）１６ａの送り出しが停止する。そして、下用紙搬送ローラ対２１と上用紙搬送ローラ対２３との間で被記録媒体（長尺紙）１６ａをたわませて停止させた状態で、制御部６６は、図５に示す時刻ｔ３にて、オートカッタ駆動部６２により、オートカッタ２２を駆動して被記録媒体（長尺紙）１６ａをカットする（ステップＳ２０）。
【００５０】
オートカッタ２２による被記録媒体（長尺紙）１６ａのカット直後、制御部６６は、図５に示す時刻ｔ３にて、搬送モータ駆動部６０により、長尺紙供給部１５の搬送モータを停止する（ステップＳ２２）。これにより、被記録媒体（長尺紙）１６ａの送り出しが停止する。なお、既に印刷中の被記録媒体（長尺紙）１６ａ、つまり巻き取りロール５１に巻き取られている側の被記録媒体（長尺紙）１６ａは、そのまま印刷（二次転写、定着）が継続されており、下流側に搬送されていく。
【００５１】
また、制御部６６は、被記録媒体（長尺紙）１６ａのカット直後、図５に示す時刻ｔ３にて、上用紙搬送ローラブレーキ駆動部６４によって、上用紙搬送ローラ対２３のブレーキ機構への励磁電流を５０ｍＡ（０．１Ｎｍ相当）に増加させる（ステップＳ２４）。つまり、上用紙搬送ローラ対２３のブレーキ機構の負荷トルクを通常搬送時の所定の負荷トルクより大きくする。このように、被記録媒体（長尺紙）１６ａのカット直後に上用紙搬送ローラ対２３のブレーキ機構への励磁電流を増加させて負荷トルクを大きくすることで、上用紙搬送ローラ対２３より下流側の被記録媒体（長尺紙）１６ａに通常より大きな張力を与え、カット後の用紙後端が暴れるのを防ぎ、画像乱れやシワが発生することを防止する。
【００５２】
次に、制御部６６は、センサ信号処理部６５からの用紙通過センサ２４の検知信号に基づいて、巻き取りロール５１に巻き取られている被記録媒体（長尺紙）１６ａの用紙後端が用紙通過センサ２４を通過したか否かを判断する（ステップＳ２６）。そして、図５に示す時刻ｔ３〜ｔ４のように、被記録媒体（長尺紙）１６ａの用紙後端が用紙通過センサ２４を通過していない場合には（ステップＳ２６のＮＯ）、制御部６６は、上用紙搬送ローラ対２３のブレーキ機構への励磁電流、５０ｍＡ（０．１Ｎｍ相当）を維持する。つまり、上用紙搬送ローラ対２３のブレーキ機構の負荷トルクを通常搬送時の所定の負荷トルクより大きい値に維持することで、カット後の用紙後端が暴れるのを押さえ続ける。
【００５３】
一方、図５に示す時刻ｔ４で、巻き取りロール５１に巻き取られている被記録媒体（長尺紙）１６ａの用紙後端が用紙通過センサ２４を通過した場合には（ステップＳ２６のＹＥＳ）、制御部６６は、上用紙搬送ローラブレーキ駆動部６４により、上用紙搬送ローラ対２３のブレーキ機構への励磁電流を３０ｍＡ（０．０５Ｎｍ相当）に戻す（ステップＳ２８）。つまり、上用紙搬送ローラ対２３のブレーキ機構の負荷トルクを通常搬送時の所定の負荷トルクに戻す。その後、次の印刷指示があるまでその状態で待機する。これは、上述したように、次の印刷指示で送り出されてくる被記録媒体（長尺紙）１６ａの切断時に上用紙搬送ローラ対２３にて被記録媒体（長尺紙）１６ａがたわみの力で押し込まれないようにするためである。したがって、所定の時間経過しても次の印刷指示が発生しなければ、上用紙搬送ローラ対２３のブレーキ機構への励磁電流を０ｍＡとしてもよい。
【００５４】
上述した実施形態によれば、オートカッタ２２の下流側にある上用紙搬送ローラ対２３にパウダーブレーキ機構を備え、被記録媒体（長尺紙）１６ａをカットした後、パウダーブレーキ機構によって上用紙搬送ローラ対２３に付与される負荷トルクを調整することによって、換言すれば上用紙搬送ローラ対２３より下流側の被記録媒体（長尺紙）１６ａの張力を調整することによって、カットした後端部が暴れるのを防止し、画像乱れやシワが発生することを防止することができる。
【００５５】
上述した実施形態によれば、切断前の被記録媒体（長尺紙）１６ａを挟持するときは、パウダーブレーキ機構に励磁電流として３０ｍＡ（０．０５Ｎｍ）を供給することで、所定の大きさの負荷トルクを上用紙搬送ローラ対２３に付与することによって、上用紙搬送ローラ対２３によって挟持された被記録媒体（長尺紙）１６ａに対して所定の大きさの張力を与え、切断後の被記録媒体（長尺紙）１６ａを挟持するときは、パウダーブレーキ機構に励磁電流として５０ｍＡ（０．１Ｎｍ）を供給することで、所定の負荷トルクより大きい負荷トルクを付与することによって、上用紙搬送ローラ対２３によって挟持された被記録媒体（長尺紙）１６ａに対して大きい張力を与えるようにしたので、始めから大きい張力を与えるよりも無駄なエネルギーを消費することなく、カットした後端部が暴れるのを防止し、画像乱れやシワが発生することを防止することができる。すなわち、始めから上用紙搬送ローラ対２３のパウダーブレーキ機構に比較的大きい励磁電流を供給して高負荷トルク（第２の負荷トルク）にしてしまうと無駄なエネルギーを消費してしまうが、カットのタイミングに対応して負荷張力を調整することにより、無駄な消費エネルギーを抑制している。
【００５６】
上述した実施形態によれば、切断後の被記録媒体（長尺紙）１６ａの後端部が上用紙搬送ローラ対２３を通過すると、パウダーブレーキ機構によって上用紙搬送ローラ対２３に与える負荷トルクを比較的小さな通常時の負荷トルクに戻すようにしたので、次の印刷動作において、被記録媒体（長尺紙）１６ａを円滑に搬送することができる。
【００５７】
上述した実施形態によれば、上用紙搬送ローラ対２３の従動回転に制動力を付与するパウダーブレーキ機構によって、上用紙搬送ローラ対２３に与える負荷トルクを調整するようにしたので、より簡易な構成で実現することができる。
【００５８】
なお、上述した実施形態では、被記録媒体（長尺紙）１６ａのカット直後、被記録媒体（長尺紙）１６ａの後端部が上用紙搬送ローラ対２３を通過するまで、上用紙搬送ローラ対２３の従動回転に対する負荷トルクを大きくすることで、被記録媒体（長尺紙）１６ａに通常よりも大きな張力を与えたが、更に、被記録媒体（長尺紙）１６ａの種類や、サイズに応じて、上用紙搬送ローラ対２３の従動回転に対する負荷トルクを変更するようにしてもよい。一般に、厚い被記録媒体（長尺紙）１６ａほど、あるいは用紙幅の大きいほど、被記録媒体（長尺紙）１６ａのカット後の後端部の暴れが大きく、激しくなる傾向がある。そこで、例えば、厚い被記録媒体（長尺紙）１６ａほど、負荷トルク（張力）を大きくしたり、用紙幅が広い被記録媒体（長尺紙）１６ａほど負荷トルク（張力）を大きくしたりする。これにより、被記録媒体（長尺紙）１６ａの種類や、サイズに応じて、より効果的にカット後の用紙後端が暴れるのを防ぐことができ、画像乱れやシワが発生するのを防止することができる。
【００５９】
また、上述した実施形態では、上用紙搬送ローラ対２３に設けられたパウダーブレーキ機構の励磁電流を可変することによって、上用紙搬送ローラ対２３の従動回転に対する負荷トルクを調整するようにしたが、本発明は、パウダーブレーキ機構に限定されず、上用紙搬送ローラ対２３の従動回転に対する負荷トルクを可変できるのであれば他の手段、手法を用いるようにしてもよい。一例として、上用紙搬送ローラ対２３の挟持力自体（ローラ間の圧着力）を変えることで負荷トルク（による張力）を可変するようにしてもよい。
【００６０】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００６１】
（付記１）
付記１に記載の発明は、画像形成部に被記録媒体を供給する被記録媒体供給装置であって、前記被記録媒体が搬送される搬送経路の所定の位置で前記被記録媒体を切断する切断手段と、前記搬送経路における前記所定の位置の下流側において前記被記録媒体に負荷張力を付与する負荷付与手段と、前記切断のタイミングに対応させて前記負荷張力を調整する調整手段と、を備えることを特徴とする被記録媒体供給装置である。
【００６２】
（付記２）
付記２に記載の発明は、前記調整手段は、前記切断のタイミングに対応して前記負荷張力が大きくなるように調整する、ことを特徴とする付記１に記載の被記録媒体供給装置である。
【００６３】
（付記３）
付記３に記載の発明は、被記録媒体を切断する被記録媒体切断制御方法であって、切断手段によって前記被記録媒体が搬送される搬送経路の所定の位置で前記被記録媒体を切断するステップと、前記搬送経路における前記所定の位置の下流側に付与される前記被記録媒体の張力を、前記切断のタイミングに対応して調整するステップと、を含むことを特徴とする被記録媒体切断制御方法である。
【００６４】
（付記４）
付記４に記載の発明は、画像形成部に被記録媒体を供給する被記録媒体供給装置であって、前記被記録媒体が搬送される搬送経路の所定の位置で前記被記録媒体を切断する切断手段と、前記搬送経路における前記所定の位置の下流側で前記被記録媒体を挟持し、搬送される前記被記録媒体に従動回転する被記録媒体挟持手段と、前記被記録媒体挟持手段の従動回転に対して負荷トルクを付与する負荷付与手段と、前記切断のタイミングに対応して、前記負荷トルクを調整する調整手段と、を備えることを特徴とする被記録媒体供給装置である。
【００６５】
（付記５）
付記５に記載の発明は、前記調整手段は、前記切断のタイミングに対応して前記負荷トルクが大きくなるように調整する、ことを特徴とする付記４に記載の被記録媒体供給装置である。
【００６６】
（付記６）
付記６に記載の発明は、前記負荷付与手段は、前記被記録媒体挟持手段のうち、少なくとも１つのローラに設けられ、前記少なくとも１つのローラの従動回転に制動力を付与する制動手段である、ことを特徴とする付記４又は５に記載の被記録媒体供給装置である。
【００６７】
（付記７）
付記７に記載の発明は、前記制動手段は、励磁電流値に応じて連続的に伝達トルクを可変して前記少なくとも１つのローラの従動回転を制動するパウダーブレーキである、ことを特徴とする付記６に記載の被記録媒体供給装置である。
【００６８】
（付記８）
付記８に記載の発明は、前記被記録媒体の種類又はサイズに応じて、前記負荷トルクを調整する、ことを特徴とする付記４乃至７のいずれかに記載の被記録媒体供給装置である。
【００６９】
（付記９）
付記９に記載の発明は、被記録媒体が搬送される搬送経路の所定の位置で被記録媒体を切断する切断手段と、前記搬送経路における前記所定の位置の下流側で前記被記録媒体を挟持し、搬送される前記被記録媒体に従動回転する被記録媒体挟持手段と、前記被記録媒体挟持手段の従動回転に対して負荷トルクを付与する負荷付与手段と、前記切断のタイミングに対応して、前記負荷トルクを調整する調整手段と、を備えることを特徴とする画像形成装置である。
【００７０】
（付記１０）
付記１０に記載の発明は、画像形成部に供給される被記録媒体を切断する被記録媒体切断制御方法であって、前記被記録媒体が搬送される搬送経路の所定の位置で前記被記録媒体を切断するステップと、前記搬送経路における前記所定の位置の下流側で前記被記録媒体を挟持し、搬送される前記被記録媒体に従動回転する被記録媒体挟持手段の従動回転に対して付与する負荷トルクを、前記切断のタイミングに対応して調整するステップと、を含むことを特徴とする被記録媒体切断制御方法である。
【符号の説明】
【００７１】
１０  画像形成装置
１５  長尺紙供給部
１６  給紙ロール
１６ａ  被記録媒体（長尺紙）
１７、１９  用紙ガイドローラ
１８、１８ａ、１８ｂ  端部センサ
２１  下用紙搬送ローラ対
２２  オートカッタ
２３  上用紙搬送ローラ対（被記録媒体扶持手段）
２４  用紙通過センサ
２５  アンワインダ
２６ａ、２６ｂ  スライドベアリング
２７  アクチュエータ
２８  パウダーブレーキ
３０  画像形成部
３１、３１ｋ、３１ｃ、３１ｍ、３１ｙ  ドラム・現像装置
３２  転写ベルト装置
３３  トナーカートリッジ
３４  電装部
３５  給紙部
３６  定着装置
３７  中間転写ベルト
３８  駆動ローラ
３９  従動ローラ
４０  トナー縦搬送経路
４１  二次転写バックアップローラ
４２  二次転写ローラ
４４  給送ローラ
４５  フェイスアップユニット
４６  排紙トレー
４７  本体進入搬送ローラ
５０  長尺紙巻取部
５１  巻き取りロール
６０  搬送モータ駆動部
６１  下用紙搬送ローラクラッチ駆動部
６２  オートカッタ駆動部
６３  上用紙搬送ローラクラッチ駆動部
６４  上用紙搬送ローラブレーキ駆動部
６５  センサ信号処理部
６６  制御部
【図１】
2017061050.tif 000003
【図２】
2017061050.tif 000004
【図３】
2017061050.tif 000005
【図４】
2017061050.tif 000006
【図５】
2017061050.tif 000007